(57)【特許請求の範囲】
【請求項１】
攪拌軸の下段に取り付けられた掘削翼と、中段に取り付けられた中段翼と、上段に取り付けられた上段翼とを備え、前記中段翼は攪拌翼とジェット噴射手段とを有し、上段翼は可撓性翼に形成されると共にその先端部にローラが取り付けられた地盤改良装置。
【請求項２】
攪拌軸の下段に取り付けられた掘削翼と、中段に取り付けられた中段翼と、上段に取り付けられた上段翼とを備え、前記中段翼及び上段翼は可撓性翼に形成されると共にその先端部にローラが取り付けられ且つジェット噴射手段をそれぞれ有する地盤改良装置。
【発明の詳細な説明】
【０００１】
【発明の属する技術分野】
本発明は、地盤改良装置に関する。
【０００２】
【従来の技術】
シールド立坑や開削工事等の山留め壁の内側を掘削する場合、山留め壁の変形を抑制するために内部の地盤を部分的に或は全面的に改良することが行われている。この地盤改良を機械攪拌式で行う場合は、図３のように機械の攪拌翼が山留め壁Ｐに接触しないように施工する（接触すると山留め壁又は攪拌翼が破損する）ため、山留め壁Ｐと改良体Ｑとの間に未改良部Ｒが生じる。そこで、未改良部Ｒを噴射式の改良装置により別途に施工して、機械攪拌による改良体Ｑと密着させるようにしている。
【０００３】
【発明が解決しようとする課題】
上記従来の地盤改良法によると、機械攪拌式と噴射式との２種類の装置を必要とし、且つ別個に施工しなければならないため２工程となり、工期及び工費の増大する問題点があった。
【０００４】
本発明は、このような従来の問題点を解消するためになされ、機械攪拌式と噴射式とを１つの装置で同時に行えるようにした地盤改良装置を提供することを目的とする。
【０００５】
【課題を解決するための手段】
この目的を達成するための手段として、本発明の請求項１は、攪拌軸の下段に取り付けられた掘削翼と、中段に取り付けられた中段翼と、上段に取り付けられた上段翼とを備え、前記中段翼は攪拌翼とジェット噴射手段とを有し、上段翼は可撓性翼に形成されると共にその先端部にローラが取り付けられた地盤改良装置を要旨とする。
又、本発明の請求項２は、攪拌軸の下段に取り付けられた掘削翼と、中段に取り付けられた中段翼と、上段に取り付けられた上段翼とを備え、前記中段翼及び上段翼は可撓性翼に形成されると共にその先端部にローラが取り付けられ且つジェット噴射手段をそれぞれ有する地盤改良装置を要旨とする。
【０００６】
【発明の実施の形態】
以下、本発明の実施の形態を添付図面に基づいて詳説する。
図１（イ）、（ロ）は第１の実施形態を示すもので、地盤改良装置Ａは攪拌軸１の下段に取り付けられた掘削翼２と、中段に取り付けられた中段翼３と、上段に取り付けられた上段翼４とを備え、先端にはヘッド５を有している。
【０００７】
前記中段翼３は、図１（イ）のように攪拌翼３ａが放射方向に対設されると共にジェット噴射手段３ｂが設けられ、前記上段翼４は可撓性翼に形成されると共にその先端部にローラ６が取り付けられている。この上段翼４は、前記攪拌軸１に取り付けられた固定翼４ａと、この固定翼４ａに弾性コネクタ４ｃを介して連結された可動翼４ｂとから構成され、可動翼４ｂの先端部には前記ローラ６がブラケット４ｄを介して固定されている。
【０００８】
前記攪拌軸１の軸回転により上段翼４が反時計方向に回転し、ローラ６が山留め壁７に接触するとその反力によりローラ６が押されて前記可動翼４ｂを時計方向に回動させ、上段翼４をほぼく字形に折り曲げる。ローラ６が山留め壁７から離れると、前記弾性コネクタ４ｃの弾性によって可動翼４ｂは元の位置に復帰する。この上段翼４は、放射方向に対設されしかも上から見ると前記中段翼３とほぼ十字形となるように位置付けられている。前記掘削翼２も放射方向に対設され、上から見て上段翼４と中段翼３とのほぼ中間に位置するようにしてある。
【０００９】
このように構成された地盤改良装置Ａを用いて地盤改良すると、掘削翼２と中段翼３と上段翼４とによる機械攪拌と、ジェット噴射手段３ｂによるジェット噴射Ｊとが複合的に同時に行われるため地盤改良が効率良く行われる。しかも、山留め壁７に隣接する領域は、前記可動翼４ｂによる機械攪拌と、ジェット噴射Ｊとにより充分攪拌されるため従来のように未改良部が生じることはない。
【００１０】
貫入時には、ヘッド５からスラリーＳが吐出され、中段翼３からはジェット噴射Ｊがなされ、掘削翼２と中段翼３及び上段翼４により機械攪拌されると共に、可撓翼４ｂの先端ローラ６が作動し、引き抜き時には、機械攪拌のみで可撓翼４ｂの先端ローラ６の作動がなされる。
【００１１】
図２（イ）、（ロ）は第２の実施形態を示すもので、地盤改良装置Ｂは攪拌軸１１の下段に取り付けられた掘削翼１２と、中段に取り付けられた中段翼１３と、上段に取り付けられた上段翼１４とを備え、先端にはヘッド１５を有している。
【００１２】
前記上段翼１４は前記と同様に攪拌軸１１に取り付けられた固定翼１４ａと、この固定翼１４ａに弾性コネクタ１４ｃを介して連結された可動翼１４ｂとから構成され、可動翼１４ｂの先端部にはローラ１６がブラケット１４ｄを介してそれぞれ固定されている。更に、固定翼１４ａにはジェット噴射手段１４ｅが設けられている。
【００１３】
この場合は、中段翼１３も可撓性翼に形成されると共にその先端部にローラ１６′が取り付けられており、即ち攪拌軸１１に取り付けられた固定翼１３ａと、この固定翼１３ａに弾性コネクタ１３ｃを介して連結された可動翼１３ｂとから構成され、可動翼１３ｂの先端部に前記ローラ１６′がブラケット１３ｄを介して固定されている。更に、固定翼１３ａにはジェット噴射手段１３ｅが設けられている。
【００１４】
このように構成された地盤改良装置Ｂを用いて地盤改良すると、前記地盤改良装置Ａと同様に掘削翼１２と中段翼１３と上段翼１４とによる機械攪拌と、ジェット噴射手段１３ｅ、１４ｅによるジェット噴射Ｊとが複合的に同時に行われるため地盤改良が効率良く行われる。しかも、山留め壁１７に隣接する領域は、前記可動翼１３ｂ、１４ｂによる機械攪拌と、ジェット噴射Ｊとにより充分攪拌されるため従来のように未改良部が生じることはない。
【００１５】
貫入時には、ヘッド１５からのスラリーＳの吐出と中段翼１３及び上段翼１４からのジェット噴射Ｊがなされ、掘削翼１２と中段翼１３と上段翼１４とによる機械攪拌及び中段翼１３の先端のローラ１６′と上段翼１４の先端のローラ１６が作動し、引き抜き時には、機械攪拌のみで先端ローラ１６、１６′の作動がなされる。
【００１６】
【発明の効果】
以上説明したように、本発明装置によれば、機械攪拌手段とジェット噴射手段とを具備する構成としたので、１つの装置で機械攪拌とジェット噴射とを同時に行うことができ、従来２工程であったのが１工程で済むことから工期の短縮及び工費の節減が図れ、又可撓性翼による機械攪拌とジェット噴射とにより充分撹拌されるため、山留め壁に隣接する領域であっても未改良部が生じることなく効率良く地盤改良することができる。
【図面の簡単な説明】
【図１】本発明に係る第１の実施形態を示すもので、（イ）は装置の平面図、（ロ）はその要部の立面図。
【図２】本発明に係る第２の実施形態を示すもので、（イ）は装置の平面図、（ロ）はその要部の立面図。
【図３】従来の地盤改良例を示す説明図。
【符号の説明】
１  攪拌軸
２  掘削翼
３  中段翼
４  上段翼
５  ヘッド
６  ローラ
７  山留め壁
１１  攪拌軸
１２  掘削翼
１３  中段翼
１４  上段翼
１５  ヘッド
１６  ローラ
１７  山留め壁
【図１】
0004013101.tif 000002
【図２】
0004013101.tif 000003
【図３】
0004013101.tif 000004